(57)【要約】【課題】  波長が異なる３つのレーザー光によって異なる規格の光ディスクに記録されている信号の読み出し動作を行うことが出来る光ピックアップ装置を提供する。【解決手段】  波長が異なる第１、第２及び第３レーザー光によって規格の異なる第１、第２及び第３光ディスクに設けられている信号記録層に集光させることによって各信号記録層に記録されている信号の読み出し動作を行うように構成された光ピックアップ装置において、第１ハーフミラー１６及び第２ハーフミラー１７を使用して光路合成を行うとともに収差補正板１８によってハーフミラーにて発生する非点収差を補正するようにしたものである。【選択図】  図１
2012128913.tif 000002
【特許請求の範囲】
【請求項１】
光ディスクの表面から信号記録層までの距離が短い第１光ディスクに記録されている信号の読み出し動作を行う第１波長の第１レーザー光を放射するレーザーダイオード、光ディスクの表面から信号記録層までの距離が前記第１光ディスクより長い第２光ディスクに記録されている信号の読み出し動作を行う第２波長の第２レーザー光及び光ディスクの表面から信号記録層までの距離が前記第２光ディスクより長い第３光ディスクに記録されている信号の読み出し動作を行う第３波長の第３レーザー光の２つのレーザー光を放射する２波長レーザーダイオードが組み込まれた光ピックアップ装置において、前記レーザーダイオードから放射される第１レーザー光を対物レンズ方向へ導くとともに前記第１光ディスクの信号記録層、第２光ディスクの信号記録層及び第３光ディスクの信号記録層から反射される第１レーザー光、第２レーザー光及び第３レーザー光を光検出器方向へ導く第１ハーフミラーと、該第１ハーフミラーと対物レンズとの間に設けられているとともに前記２波長レーザーダイオードから放射される第２レーザー光及び第３レーザー光を対物レンズ方向へ導き、且つ前記第１光ディスクの信号記録層、第２光ディスクの信号記録層及び第３光ディスクの信号記録層から反射される第１レーザー光、第２レーザー光及び第３レーザー光を前記第１ハーフミラー方向へ導く第２ハーフミラーと、該第２ハーフミラーと対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板と、前記ハーフミラーと対物レンズとの間に設けられているとともにレーザー光の透過角度を調整変更するコリメートレンズとより成り、前記レーザーダイオードと第１ハーフミラーとの間にハーフミラーにて発生する非点収差を補正する収差補正板を設けたことを特徴とする光ピックアップ装置。
【請求項２】
対物レンズの光軸を傾斜させることによってハーフミラーにて発生するコマ収差を補正するようにしたことを特徴とする請求項１に記載の光ピックアップ装置。
【請求項３】
コリメートレンズを光軸方向へ変位させることによって球面収差を補正するようにしたことを特徴とする請求項１に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、波長が７８５ｎｍである赤外光が使用され、ＤＶＤ規格の光ディスクに記録されている信号の読み出し動作行うレーザー光としては、波長が６５５ｎｍの赤色光が使用されている。
【０００５】
また、ＣＤ規格の光ディスクにおける信号記録層と光ディスクの表面との間に設けられている透明な保護層の厚さは１．２ｍｍであり、この信号記録層から信号の読み出し動作を行うために使用される対物レンズの開口数は、０．４７と設定されている。そして、ＤＶＤ規格の光ディスクにおける信号記録層と光ディスクの表面との間に設けられている透明な保護層の厚さは０．６ｍｍであり、この信号記録層から信号の読み出し動作を行うために使用される対物レンズの開口数は、０．６と設定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００８】
Ｂｌｕ−ｒａｙ規格の光ディスクに設けられている信号記録層に記録されている信号の読み出し動作や該信号記録層に信号を記録するためにレーザー光を集光させることによって生成されるレーザースポットの径を小さくする必要がある。所望のレーザースポット形状を得るために使用される対物レンズは、開口数が大きくなるだけでなく焦点距離が短くなるので、対物レンズの曲率半径が小さくなるという特徴がある。
【０００９】
前述したＣＤ規格、ＤＶＤ規格及びＢｌｕ−ｒａｙ規格の全ての光ディスクに記録されている信号の読み出し動作や記録動作を行うことが出来る光ディスク装置が製品化されているが、斯かる光ディスク装置に組み込まれる光ピックアップ装置として、Ｂｌｕ−ｒａｙ規格の光ディスクに記録されている信号の読み出し動作を行う第１レーザー光を放射するレーザーダイオード、該レーザーダイオードから放射される第１レーザー光を信号記録層に集光させる第１対物レンズ、ＤＶＤ規格の光ディスクに記録されている信号の読み出し動作を行う第２レーザー光及びＣＤ規格の光ディスクに記録されている信号の読み出し動作を行う第３レーザー光を放射する２波長レーザーダイオード、そして第２レーザー光及び第３レーザー光を各光ディスクの信号記録層に集光させる第２対物レンズが組み込まれた光ピックアップ装置が一般に採用されている(特許文献１参照。)。
【先行技術文献】
【特許文献】
【００１０】
【特許文献１】特開２０１０−６１７８１号公報
【発明の概要】
【発明が解決しようとする課題】
【００１１】
１つの波長のレーザー光を放射するレーザーダイオード、２つの波長のレーザー光を放射する２波長レーザーダイオード、そして２つの対物レンズによって規格の異なる３つの光ディスクに記録されている信号の読み出し動作を行うように構成された光ピックアップ装置において、各レーザー光毎に光路を設けた場合には多くの光学部品を必要とするため高価になるだけでなく、小型化することが出来ないという問題がある。
【００１２】
斯かる問題を解決する方法として第１レーザー光、第２レーザー光及び第３レーザー光の光路を共通化することが行われている。斯かる構成の従来の光ピックアップ装置について図２及び図３を参照して説明する。
【００１３】
図３において、１は例えば波長が４０５ｎｍの青紫色光である第１レーザー光を生成放射するレーザーダイオード、２は前記レーザーダイオード１から放射される第１レーザー光が入射される第１回折格子であり、レーザー光を０次光であるメインビーム、＋１次光及び−１次光である２つのサブビームに分離する回折格子部２ａと入射されるレーザー光をＳ方向の直線偏光光に変換する１／２波長板２ｂとより構成されている。
【００１４】
３は例えば波長が６５５ｎｍの赤色光である第２レーザー光を生成放射する第１レーザー素子及び７８５ｎｍの赤外色光である第３レーザー光を生成放射する第２レーザー素子が同一のケース内に収納されている２波長レーザーダイオードである。
【００１５】
４は前記２波長レーザーダイオード３に組み込まれている第１レーザー素子から放射される第２レーザー光及び第２レーザー素子から放射される第３レーザー光が入射される第２回折格子であり、レーザー光を０次光であるメインビーム、＋１次光及び−１次光である２つのサブビームに分離する回折格子部４ａと入射されるレーザー光をＳ方向の直線偏光光に変換する１／２波長板４ｂとより構成されている。
【００１６】
５は前記２波長レーザーダイオード３から放射される第２レーザー光及び第３レーザー光が前記第２回折格子４を通して入射される位置に設けられているダイバージェンスレンズであり、入射される発散光であるレーザー光の発散角度を調整する作用を成すものである。
【００１７】
６は前記第１回折格子２を透過して入射される第１レーザー光のＳ偏光光を反射するとともに後述する光路を通して光ディスクから反射されてくる第１レーザー光、第２レーザー光及び第３レーザー光の戻り光であるＰ偏光光を透過するハーフミラーである。７は前記第２回折格子４及びダイバージェンスレンズ５を通して入射される第２レーザー光及び第３レーザー光のＳ偏光光を反射するとともに前記ハーフミラー６にて反射されて入射される第１レーザー光を透過させ、且つ光ディスクから反射されてくる第１レーザー光、第２レーザー光及び第３レーザー光の戻り光であるＰ偏光光を透過させる偏光ビームスプリッタである。
【００１８】
８は前記偏光ビームスプリッタ７を透過した第１レーザー光、該偏光ビームスプリッタ７にて反射された第２レーザー光及び第３レーザー光が入射される位置に設けられているとともに３つの異なる波長のレーザー光に対応して入射されるレーザー光を直線偏光光から円偏光光に、また反対に円偏光光から直線偏光光に変換する作用を成す３波長対応型の１／４波長板である。
【００１９】
９は前記１／４波長板８を透過したレーザー光が入射されるとともに入射されるレーザー光を平行光に変換するコリメートレンズであり、該コリメートレンズ９の光軸方向への変位動作によって光ディスクの保護層の厚さに起因して生じる球面収差を補正するように構成されている。
【００２０】
１０は第１レーザー光を第１光ディスクＤ１(図２参照)に設けられている信号記録層Ｌ１に集光する第１対物レンズ、１１は第２レーザー光を第２光ディスクＤ２に設けられている信号記録層Ｌ２に集光させるとともに第３レーザー光を第３光ディスクＤ３に設けられている信号記録層Ｌ３に集光させる２波長対応の第２対物レンズである。斯かる構成において、第１対物レンズ１０と第２対物レンズ１１とは、例えば４本の支持ワイヤーによって光ディスクの面に対して直角方向であるフォーカシング方向への変位動作及び光ディスクの径方向であるトラッキング方向への変位動作を行うことが出来るように支持されているレンズホルダーと呼ばれる部材に搭載されている。
【００２１】
前記コリメートレンズ９を透過した第１レーザー光、第２レーザー光及び第３レーザー光は、図２に示す光学系によって第１対物レンズ１０及び第２対物レンズ１１に導かれるように構成されている。図２において、１２は波長選択性素子であり、第１レーザー光を透過させるとともに第２レーザー光及び第３レーザー光を第２対物レンズ１１方向へ反射させるように構成されている。１３は前記波長選択性素子１２を透過した第１レーザー光を第１対物レンズ１０方向へ反射させる立ち上げミラーである。斯かる構成は特許文献１に記載されている技術と同一であるので、その説明は省略する。
【００２２】
斯かる構成において、コリメートレンズ９を透過した第１レーザー光は、前記波長選択性素子１２を透過するとともに立ち上げミラー１３にて反射されて第１対物レンズ１０に入射されることになる。このようにして第１対物レンズ１０に入射された第１レーザー光は、該第１対物レンズ１０の集光動作によって第１光ディスクＤ１に設けられている信号記録層Ｌ１に集光されることになる。
【００２３】
また、前記コリメートレンズ９を透過した第２レーザー光は、前記波長選択性素子１２にて反射されて第２対物レンズ１１に入射されることになる。このようにして第２対物レンズ１１に入射された第２レーザー光は、該第２対物レンズ１１の集光動作によって第２光ディスクＤ２に設けられている信号記録層Ｌ２に集光されることになる。そして、コリメートレンズ９を透過した第３レーザー光は、前記波長選択性素子１２にて反射されて第２対物レンズ１１に入射されることになる。このようにして第２対物レンズ１１に入射された第３レーザー光は、該第２対物レンズ１１の集光動作によって第３光ディスクＤ３に設けられている信号記録層Ｌ３に集光されることになる。
【００２４】
斯かる構成において、レーザーダイオード１から放射された第１レーザー光は、第１回折格子２、ハーフミラー６、偏光ビームスプリッタ７、１／４波長板８、コリメートレンズ９、波長選択性素子１２及び立ち上げミラー１３を介して第１対物レンズ１０に入射された後、該第１対物レンズ１０の集光動作によって第１光ディスクＤ１に設けられている信号記録層Ｌ１に集光スポットとして照射されるが、前記信号記録層Ｌ１に照射された第１レーザー光は該信号記録層Ｌ１にて戻り光として反射されることになる。
【００２５】
また、２波長レーザーダイオード３の第１レーザー素子から放射された第２レーザー光は、第２回折格子４、ダイバージェンスレンズ５、偏光ビームスプリッタ７、１／４波長板８、コリメートレンズ９及び波長選択性素子１２を介して第２対物レンズ１１に入射された後、該第２対物レンズ１１の集光動作によって第２光ディスクＤ２に設けられている信号記録層Ｌ２に集光スポットとして照射されるが、前記信号記録層Ｌ２に照射された第２レーザー光は該信号記録層Ｌ２にて戻り光として反射されることになる。
【００２６】
そして、２波長レーザーダイオード３の第２レーザー素子から放射された第３レーザー光は、第２回折格子４、ダイバージェンスレンズ５、偏光ビームスプリッタ７、１／４波長板８、コリメートレンズ９及び波長選択性素子１２を介して第２対物レンズ１１に入射された後、該第２対物レンズ１１の集光動作によって第３光ディスクＤ３に設けられている信号記録層Ｌ３に集光スポットとして照射されるが、前記信号記録層Ｌ３に照射された第３レーザー光は該信号記録層Ｌ３にて戻り光として反射されることになる。
【００２７】
第１光ディスクＤ１の信号記録層Ｌ１から反射された第１レーザー光の戻り光は、第１対物レンズ１０、立ち上げミラー１３、波長選択性素子１２、コリメートレンズ９、１／４波長板８及び偏光ビームスプリッタ７を通してハーフミラー６に入射される。このようにしてハーフミラー６に入射される戻り光は、前記１／４波長板８による位相変更動作によってＰ方向の直線偏光光に変更されている。従って、斯かる第１レーザー光の戻り光は前記ハーフミラー６にて反射されることはなく、制御用レーザー光として該ハーフミラー６を透過することになる。
【００２８】
また、第２光ディスクＤ２の信号記録層Ｌ２から反射された第２レーザー光の戻り光は、第２対物レンズ１１、波長選択性素子１２、コリメートレンズ９、１／４波長板８及び偏光ビームスプリッタ７を通してハーフミラー６に入射される。このようにしてハーフミラー６に入射される戻り光は、前記１／４波長板８による位相変更動作によってＰ方向の直線偏光光に変更されている。従って、斯かる第２レーザー光の戻り光は前記ハーフミラー６にて反射されることはなく、制御用レーザー光として該ハーフミラー６を透過することになる。
【００２９】
そして、第３光ディスクＤ３の信号記録層Ｌ３から反射された第３レーザー光の戻り光は、第２対物レンズ１１、波長選択性素子１２、コリメートレンズ９、１／４波長板８及び偏光ビームスプリッタ７を通してハーフミラー６に入射される。このようにしてハーフミラー６に入射される戻り光は、前記１／４波長板８による位相変更動作によってＰ方向の直線偏光光に変更されている。従って、斯かる第３レーザー光の戻り光は前記ハーフミラー６にて反射されることはなく、制御用レーザー光として該ハーフミラー６を透過することになる。
【００３０】
１４は前記ハーフミラー６を透過した制御用レーザー光が入射されるＡＳ板であり、該ハーフミラー６にて生成される非点収差の大きさをフォーカスエラー信号を生成するために適した大きさになるように拡大する作用を成すとともに該ハーフミラー６にて発生するコマ収差を補正する作用を成すものである。斯かるＡＳ板は、収差補正板と呼ばれる光学素子である。
【００３１】
１５は前記ＡＳ板１４を通して制御用レーザー光が照射される光検出器であり、周知の４分割センサー等が設けられており、メインビームの照射動作によって光ディスクの信号記録層に記録されている信号の読み出し動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００３２】
前述したようにレーザーダイオード１から放射される第１レーザー光の第１光ディスクＤ１の信号記録層Ｌ１までの往路、２波長レーザーダイオード３から放射される第２レーザー光の第２光ディスクＤ２の信号記録層Ｌ２までの往路及び２波長レーザーダイオード３から放射される第３レーザー光の第３光ディスクＤ３の信号記録層Ｌ３までの往路について比較すると、偏光ビームスプリッタ７から波長選択性素子１２までの光路を兼用していることがわかる。
【００３３】
そして、第１光ディスクＤ１の信号記録層Ｌ１から反射される第１レーザー光の戻り光の光検出器１５までの復路、第２光ディスクＤ２の信号記録層Ｌ２から反射される第２レーザー光の戻り光の光検出器１５までの復路及び第３光ディスクＤ３の信号記録層Ｌ３から反射される第３レーザー光の戻り光の光検出器１５までの復路について比較すると、波長選択性素子１２から光検出器１５までの光路を兼用していることがわかる。
【００３４】
図３に示した従来の光ピックアップ装置は、レーザー光を光ディスクの信号記録層に導く往路及び光ディスクの信号記録層から反射される戻り光を光検出器１５に導く復路を全てのレーザー光で兼用しているので、光学部品の数を減らすことが出来、その結果、製造価格を下げることが出来るだけでなく光ピックアップ装置を小型化することが出来るという利点を有している。
【００３５】
前述した２波長レーザーダイオードは、一般に第２レーザー光を生成放射する第１レーザー素子と第３レーザー光を生成放射する第２レーザー素子とが１１０μｍ離間して配置されているので、第２レーザー光の光軸と第３レーザー光の光軸とがずれることになる。また、３つの異なる波長のレーザー光の戻り光が照射される光検出器１５は、第２レーザー光用の受光部と第３レーザー光用の受光部とが別個に設けられ、第３レーザー光用の受光部を第１レーザー光用の受光部と兼用するように一般に構成されている。
【００３６】
斯かる構成の光ピックアップ装置において、３つの異なる波長のレーザー光の光路を合成する光学部品として偏光ビームスプリッタ７を使用しているため、高価になるという問題がある。
【００３７】
本発明は、斯かる問題を解決することが出来る光ピックアップ装置を提供しようとするものである。
【課題を解決するための手段】
【００３８】
本発明は、光ディスクの表面から信号記録層までの距離が短い第１光ディスクに記録されている信号の読み出し動作を行う第１波長の第１レーザー光を放射するレーザーダイオード、光ディスクの表面から信号記録層までの距離が前記第１光ディスクより長い第２光ディスクに記録されている信号の読み出し動作を行う第２波長の第２レーザー光及び光ディスクの表面から信号記録層までの距離が前記第２光ディスクより長い第３光ディスクに記録されている信号の読み出し動作を行う第３波長の第３レーザー光の２つのレーザー光を放射する２波長レーザーダイオードが組み込まれた光ピックアップ装置において、前記レーザーダイオードから放射される第１レーザー光を対物レンズ方向へ導くとともに前記第１光ディスクの信号記録層、第２光ディスクの信号記録層及び第３光ディスクの信号記録層から反射される第１レーザー光、第２レーザー光及び第３レーザー光を光検出器方向へ導く第１ハーフミラーと、該第１ハーフミラーと対物レンズとの間に設けられているとともに前記２波長レーザーダイオードから放射される第２レーザー光及び第３レーザー光を対物レンズ方向へ導き、且つ前記第１光ディスクの信号記録層、第２光ディスクの信号記録層及び第３光ディスクの信号記録層から反射される第１レーザー光、第２レーザー光及び第３レーザー光を前記第１ハーフミラー方向へ導く第２ハーフミラーと、該第２ハーフミラーと対物レンズとの間に設けられているとともに第１レーザー光、第２レーザー光及び第３レーザー光の偏光方向を直線偏光光から円偏光光へ、また円偏光光から直線偏光光へ変換する３波長対応型の１／４波長板と、前記ハーフミラーと対物レンズとの間に設けられているとともにレーザー光の透過角度を調整変更するコリメートレンズとを設け、前記レーザーダイオードと第１ハーフミラーとの間にハーフミラーにて発生する非点収差を補正する収差補正板を設けたことを特徴とするものである。
【００３９】
また、本発明は、対物レンズの光軸を傾斜させることによってハーフミラーにて発生するコマ収差を補正するようにしたことを特徴とするものである。
【００４０】
そして、本発明は、コリメートレンズを光軸方向へ変位させることによって球面収差を補正するようにしたことを特徴とするものである。
【発明の効果】
【００４１】
本発明は、波長が異なる第１、第２及び第３レーザー光を規格の異なる第１、第２及び第３光ディスクに設けられている信号記録層に集光させることによって各信号記録層に記録されている信号の読み出し動作を行うように構成された光ピックアップ装置において、ハーフミラーを使用して光路合成を行うようにしたので、安価な光ピックアップ装置を提供することが出来る。
【００４２】
また、本発明は、レーザーダイオードと第１ハーフミラーとの間に収差補正板を設けたので、ハーフミラーにて発生する非点収差を補正することが出来、その結果、対物レンズの集光動作にて光ディスクの信号記録層に生成されるレーザースポットの形状を信号の読み取り動作等を行うために適した形状にすることが出来る。
【００４３】
そして、本発明は、ハーフミラーにて発生するコマ収差を対物レンズの光軸を傾斜させることによって補正するようにしたので、プリズム製の偏光ビームスプリッタのような高価な光学部品を使用することなく光ピックアップ装置が要求される性能を満足させることが出来る。
【図面の簡単な説明】
【００４４】
【図１】本発明に係る光ピックアップ装置の一実施例を示す概略図である。
【図２】本発明に係る光ピックアップ装置の実施例の一部を示す図である。
【図３】従来の光ピックアップ装置の一実施例を示す概略図である。
【発明を実施するための形態】
【００４５】
単一のレーザー光を生成するレーザーダイオード及び異なる波長の２つのレーザー光を生成する２波長レーザーダイオードから放射されるレーザー光を利用して異なる規格の光ディスクに設けられている信号記録層に記録されている信号の読み出し動作を行うように構成された光ピックアップ装置に関するものである。
【実施例１】
【００４６】
図１は本発明の光ピックアップ装置の一実施例であり、図３に示した光ピックアップ装置と同一の作用を成す部品には同一の符号を付している。
【００４７】
図１において、１６は第１回折格子２を通して入射される第１レーザー光を対物レンズ方向へ反射させるとともに光ディスクの信号記録層から反射されてくる第１レーザー光の戻り光、第２レーザー光の戻り光及び第３レーザー光の戻り光を光検出器１５方向へ透過させる第１ハーフミラーである。
【００４８】
１７は第２回折格子４を通して入射される第２レーザー光及び第３レーザー光を対物レンズ方向へ反射させるとともに前記第１ハーフミラーにて反射される第１レーザー光を対物レンズ方向へ透過させ、且つ第１レーザー光の戻り光、第２レーザー光の戻り光及び第３レーザー光の戻り光を前記第１ハーフミラー１６の方向、すなわち光検出器１５方向へ透過させる第２ハーフミラーである。
【００４９】
斯かる構成において、前記第１ハーフミラー１６は戻り光が第２ハーフミラー１７を透過するとき生成される非点収差を補正するとともに光検出器１５に組み込まれているセンサーに適したスポットになるように戻り光に対して作用するように構成されている。
【００５０】
１８は前記レーザーダイオード１と第１ハーフミラー１６との間に設けられている収差補正板であり、第１レーザー光が第２ハーフミラー１７を透過するとき発生する非点収差を補正するように作用するものである。
【００５１】
また、第１対物レンズ１０及び第２対物レンズ１１は、従来例と同様に光ディスクの面に対して直角方向であるフォーカシング方向への変位動作及び光ディスクの径方向であるトラッキング方向への変位動作を行うことが出来るように複数の支持ワイヤーにて支持されているレンズホルダーに搭載されているが、本発明ではチルトと呼ばれる対物レンズの光軸を傾斜させることが出来るように構成されている。斯かるチルト調整機構が組み込まれている光ピックアップ装置は、周知であるのでその説明は省略する。
【００５２】
本発明の光ピックアップ装置では、ハーフミラーを使用することによって発生するコマ収差を前述したチルト調整機構による対物レンズの光軸を傾斜させる動作によって補正するように構成されている。
【００５３】
斯かる構成によれば、レーザーダイオード１から生成放射される第１レーザー光は、収差補正板１８、第１回折格子２、第１ハーフミラー１６、第２ハーフミラー１７、１／４波長板８、コリメートレンズ９、波長選択性素子１２及び立ち上げミラー１３を介して第１対物レンズ１０に導かれ、該第１対物レンズ１０の集光動作によって第１光ディスクＤ１の信号記録層Ｌ１に集光される。
【００５４】
レーザーダイオード１から放射される第１レーザー光は、前述した光路を通して第１光ディスクＤ１の信号記録層Ｌ１に集光されるが、第２ハーフミラー１７にて発生する非点収差は収差補正板１８にて補正され、コマ収差は第１対物レンズ１０の光軸を傾斜させることによって補正されるので、前記信号記録層Ｌ１に集光生成されるレーザースポットの形状を信号の読み出し動作等に適した形状にすることが出来る。
【００５５】
そして、前記第１光ディスクＤ１の信号記録層Ｌ１から反射される第１レーザー光の戻り光は、第１対物レンズ１０、立ち上げミラー１３、波長選択性素子１２、コリメートレンズ９、１／４波長板８、第２ハーフミラー１７及び第１ハーフミラー１６を介して光検出器１５に照射される。
【００５６】
このようにして第１レーザー光の戻り光を光検出器１５に照射させることによって光ピックアップ装置のフォーカス制御動作及びトラッキング制御動作を行うためのフォーカス制御信号及びトラッキング制御信号を得ることが出来るが、第２ハーフミラー１７にて発生する非点収差を第１ハーフミラー１６にて補正するようにしたので、光検出器１５に照射生成されるスポットの形状を信号生成動作に適した形状にすることが出来る。
【００５７】
次に、２波長レーザーダイオード３から生成放射される第２レーザー光は、第２回折格子４、第２ハーフミラー１７、１／４波長板８、コリメートレンズ９及び波長選択性素子１２を介して第２対物レンズ１１に導かれ、該第２対物レンズ１１の集光動作によって第２光ディスクＤ２の信号記録層Ｌ２に集光される。
【００５８】
また、前記第２光ディスクＤ２の信号記録層Ｌ２から反射される第２レーザー光の戻り光は、第２対物レンズ１１、波長選択性素子１２、コリメートレンズ９、１／４波長板８、第２ハーフミラー１７及び第１ハーフミラー１６を介して光検出器１５に照射される。
【００５９】
前述したように２波長レーザーダイオード３から放射される第２レーザー光の第２光ディスクＤ２の信号記録層Ｌ２への集光動作及び光検出器１５への戻り光の照射動作が行われるので、第２光ディスクＤ２に記録されている信号の読み出し制御動作を行うことが出来る。
【００６０】
そして、２波長レーザーダイオード３から生成放射される第３レーザー光は、第２レーザー光と同様に第２回折格子４、第２ハーフミラー１７、１／４波長板８、コリメートレンズ９及び波長選択性素子１２を介して第２対物レンズ１１に導かれ、該第２対物レンズ１１の集光動作によって第３光ディスクＤ３の信号記録層Ｌ３に集光される。
【００６１】
また、前記第３光ディスクＤ３の信号記録層Ｌ３から反射される第３レーザー光の戻り光は、第２対物レンズ１１、波長選択性素子１２、コリメートレンズ９、１／４波長板８、第２ハーフミラー１７及び第１ハーフミラー１６を介して光検出器１５に照射される。
【００６２】
前述したように２波長レーザーダイオード３から放射される第３レーザー光の第３光ディスクＤ３の信号記録層Ｌ３への集光動作及び光検出器１５への戻り光の照射動作が行われるので、第３光ディスクＤ３に記録されている信号の読み出し制御動作を行うことが出来る。
【００６３】
また、本実施例において、コリメートレンズ９を光軸方向へ変位させることによって各光ディスクに設けられている透明な保護層の厚さの変化に伴って発生する球面収差を補正することが出来る。
【００６４】
尚、本実施例では、レーザーダイオード１から放射される第１レーザー光を第１光ディスクＤ１の信号記録層Ｌ１に集光させる第１対物レンズ１０と２波長レーザーダイオード３から放射される第２レーザー光及び第３レーザー光を第２光ディスクＤ２の信号記録層Ｌ２及び第３光ディスクＤ３の信号記録層Ｌ３に集光させる第２対物レンズ１１の２つの対物レンズを使用する光ピックアップ装置について説明したが、１つの対物レンズにて第１レーザー光、第２レーザー光及び第３レーザー光を第１光ディスクＤ１、第２光ディスクＤ２及び第３光ディスクＤ３に設けられている信号記録層Ｌ１、Ｌ２及びＬ３に集光させるように構成された光ピックアップ装置に実施することは勿論可能である。
【産業上の利用可能性】
【００６５】
ＣＤ規格、ＤＶＤ規格及びＢｌｕ−ｒａｙ規格の光ディスク記録されている信号の読み出し動作を行う光ピックアップ装置に実施した場合について説明したが、その他の異なる規格の光ディスクに記録されている信号の読み出し動作を行うことが出来る光ピックアップ装置に実施することも出来る。
【符号の説明】
【００６６】
１      レーザーダイオード
３      ２波長レーザーダイオード
８      １／４波長板
９      コリメートレンズ
１０    第１対物レンズ
１１    第２対物レンズ
１５    光検出器
１６    第１ハーフミラー
１７    第２ハーフミラー
１８    収差補正板
【図１】
2012128913.tif 000003
【図２】
2012128913.tif 000004
【図３】
2012128913.tif 000005